(57)【要約】      （修正有）【課題】枠部の内側に透光性樹脂を充填する構成において光取出し効率を向上させることができる発光装置及びこの発光装置を具備する照明装置を提供する。【解決手段】枠部４に入射した光は枠部４内の蛍光体１６によって黄色光に波長変換されて枠部４を透過して外方に出射される。そして、封止樹脂５から又は枠部４から出射された青色光と黄色光とが混合（混色）することにより、白色光が得られる。このとき、枠部４の母材と封止部材５の母材とは異なるように形成している。【選択図】図２
2014192270.tif 000002
【特許請求の範囲】
【請求項１】
基板と；
基板の一面側に実装された複数の発光素子と；
透光性の第一樹脂と、この第一樹脂に混入された蛍光体とを有し、複数の発光素子を包囲するように基板の一面側に設けられて枠部と；
枠部材の第一樹脂とは別組成であって透光性の第二樹脂と、この第二樹脂に混入された枠部材と同一種類の蛍光体とを有し、複数の発光素子を封止するように枠部内に充填された封止樹脂と；
を具備していることを特徴とする発光装置。
【請求項２】
第一樹脂は、第二樹脂よりも硬さが高くなるように形成されており、この硬さの大小関係において、第一樹脂のデュロメータ硬さが４５以上８９以下で形成されていることを特徴とする請求項１記載の発光装置
【請求項３】
第一樹脂に混入される蛍光体の第一樹脂の配合比は、第二樹脂に混入される蛍光体の配合比と同一に形成されていることを特徴とする請求項１又は２記載の発光装置。
【請求項４】
請求項１ないし３いずれか一記載の発光装置と；
この発光装置を配設している装置本体と；
この発光装置の発光素子に電力を供給する電源装置と；
を具備していることを特徴とする照明装置。
【発明の詳細な説明】
【技術分野】
【０００１】
本発明の実施形態は、発光素子を用いた発光装置およびこの発光装置を配設している照明装置に関する。
【背景技術】
【０００２】
従来、照明装置には、表面側に樹脂層を有する金属ベース基板の一面に発光素子を複数並設するとともに発光素子を包囲する枠部を設けて、この枠部内に蛍光体が混じられたシリコーン樹脂等の透光性樹脂を充填し、この封止樹脂で各発光素子を埋設したＣＯＢ(chip  on  board)型の発光装置が用いられている（例えば特許文献１参照。）。そして、当該発光装置には、基板の樹脂層上に銀メッキをして、発光素子から放射された光の一部を銀メッキ上で反射させて、出射効率を向上させているものがある。
【先行技術文献】
【特許文献】
【０００３】
【特許文献１】特開２０１１−７１２４２号公報
【発明の概要】
【発明が解決しようとする課題】
【０００４】
従来の枠部は、前記封止部材の流れ止めとして機能させるものであるとともに、表面が白色等からなる反射面を有するように形成されているものであった。すなわち、例えば母材となる樹脂に白色顔料を混ぜて光が透過しないように形成し、このような樹脂材料で枠部を形成することによって封止部材の流れ止めとともに枠部内面で反射させるように形成されていた。したがって、枠部によって又は枠部による反射の繰り返しによって、少なくとも発光素子からの光が吸収されてしまい光取出し効率の低下をまねいてしまうことがあった。
【０００５】
本実施形態は、枠部の内側に透光性樹脂を充填する構成において光取出し効率を向上させることができる発光装置及びこの発光装置を具備する照明装置を提供することを目的とする。
【課題を解決するための手段】
【０００６】
本実施形態の発光装置は、基板、発光素子、枠部および封止樹脂を有して構成される。そして、例えば、発光装置は、基板と、基板の一面側に実装された複数の発光素子と、透光性の第一樹脂と、この第一樹脂に混入された蛍光体とを有し、複数の発光素子を包囲するように基板の一面側に設けられて枠部と、枠部材の第一樹脂とは別組成であって透光性の第二樹脂と、この第二樹脂に混入された枠部材と同一種類の蛍光体とを有し、複数の発光素子を封止するように枠部内に充填された封止樹脂とを具備している。
【発明の効果】
【０００７】
本発明の実施形態によれば、透光性の枠部であって、かつ、この枠部には蛍光体が混入されているため枠部によって吸収される光が抑制することができるため、光取出し効率の向上が期待できる。
【図面の簡単な説明】
【０００８】
【図１】本発明の第１の実施形態を示す発光装置の概略上面図である。
【図２】同じく、図１のＡ−Ａ矢視方向における発光装置の概略断面図である。
【図３】本発明の第２実施形態を示す照明装置の一部切り欠き概略側面図である。
【発明を実施するための形態】
【０００９】
以下、本発明の一実施の形態について、図面を参照して説明する。まず、本発明の第１の実施形態について説明する。
【００１０】
本実施形態の発光装置１は、図１および図２に示すように構成される。図２において、発光体１は、基板２、発光素子３、枠部４及び封止樹脂５を有して形成されている。
【００１１】
基板２は、例えば、正方形に形成された厚さ１ｍｍの板状のアルミニウム（Ａｌ）からなり、その一面２ａに例えば厚さ８０μｍの絶縁層７が形成されている。絶縁層７は、例えばエポキシ材および無機フィラー材からなり、高熱伝導性を有している。そして、絶縁層７の表面に、例えば厚さ１０μｍの金属メッキ部８が設けられおり、絶縁層７上にアルミニウムがメッキされた金属メッキ部８が形成されている。なお、金属メッキ部８は、銅製の下地層やニッケル製の中間層等を適宜用いることでもよい。  金属メッキ部８は、図１に示すように、四角形に形成されている。そして、金属メッキ部８の両端側には、一対の配線パターン９，９が形成されている。配線パターン９，９は、例えば厚さ１０μｍの金属層、例えば銅、この銅の表面にニッケルメッキされ、さらに銀メッキされた導電材料からなり、金属メッキ部８と同様、絶縁層７の表面に形成されている。そして、配線パターン９，９は、基板２の一端部側に設けられた雌コネクタ１０に電気接続されている。雌コネクタ１０は、発光素子３に電力を供給する図示しない電源装置に接続される。
【００１２】
発光素子３は、複数個からなり、金属メッキ部８の表面８ａ側に実装されている。すなわち、発光素子３は、基板２の金属メッキされた一面２ａ側に実装されている。発光素子３は、直方体に形成されたサファイア１１の表面に発光層１２が形成され、この発光層１２の表面に電極１３，１４が設けられている。サファイア１１は、金属メッキ部８の銀メッキ層の表面に図示しない透明シリコーンにより接着されている。発光層１２は、例えば、紫外光から青色光の領域の光を放射する発光材料例えばＩｎＧａＮを有して形成され、通電により青色光を放射する。
【００１３】
電極１３，１４は、隣かつ列状の発光素子３の電極１３，１４にそれぞれワイヤボンディングされている。そして、図２に示すように、列状の図中最左端の発光素子３の電極１３は、一対の配線パターン９，９の一方にワイヤボンディングされ、列状の図中最右端の発光素子３の電極１４は、一対の配線パターン９，９の他方にワイヤボンディングされている。すなわち、図１に示すように、複数個の発光素子３は、列毎にボンディングワイヤ１５により直列接続されて、一対の配線パターン９，９に電気接続されている。
【００１４】
そして、基板２の絶縁層７上には、発光素子３を包囲するように枠部４が形成されている。この枠部４は、第一樹脂である絶縁性を有する熱硬化性樹脂である例えばフェニル系シリコーン樹脂からなっている。そしてこの樹脂材料の中には白色粉末が混入されておらず、後述の蛍光体１６を含有する透光性を有する形態である。
【００１５】
また、枠部４は、酸素透過量が１２００ｃｍ3/(m2・day・atm）以下である熱可塑性樹脂を封止樹脂材料として用いている。また、この枠部４は、デュロメータ（タイプＡ）で測定した硬さが４５以上８９以下の範囲である熱硬化性樹脂を用いることが好ましい。硬さが４５以上であることにより、枠部４の強度を確保することができる。これにより、例えば発光装置１を取扱う際に枠部４に物体が接触する又は人の手が触れたとしても枠部４が破壊されることを防止できる。一方、硬さが８９以下であることにより、発光装置１の点灯及び消灯による温度変化によって封止樹脂が膨張及び収縮を繰り返しても基板２から枠部４が剥離してしまうことを防ぐことができる。したがって、このような形態には、フェニル系シリコーン樹脂及びフェニル系ハイブリッド樹脂が挙げられる。
【００１６】
そして、枠部４は、基板２上に雌コネクタ１０を実装する前に、未硬化の熱硬化性樹脂を接合層６上に例えばディスペンサを用いて塗布する。このとき、樹脂自体のチクソ性によって枠部の形状は維持されている。その後、熱硬化されて枠部４が形成され、このように形成された枠部４の基の内側が発光素子３の収納部となっている。
【００１７】
また、図２において、封止樹脂５は、第二樹脂である例えば透光性のジメチル系シリコーン樹脂からなり、枠部４の内側に充填されて、各発光素子３を封止している。すなわち、発光素子３およびボンディングワイヤ１５は、封止樹脂５により封止されている。封止樹脂５の表面５ａは、平坦状となっている。この封止樹脂５は、硬化後の硬さは枠部４よりも小さくなるように形成されている。
【００１８】
そして、封止樹脂５は、蛍光体としてのＹＡＧを用いた蛍光体１６を所定の濃度又は配合比で含有している。蛍光体１６は、発光素子３から放射された青色光が入射されると、その青色光を黄色光に波長変換する。すなわち、蛍光体１６は、発光素子３の放射光の一部を波長変換する。この波長変換された黄色光と、発光素子３から放射された青色光とが混合して封止樹脂５の表面５ａから外方に出射されることにより、発光装置１から白色光が放射しているように見える。すなわち、封止樹脂５の表面５ａは、発光装置１の発光面となっている。
【００１９】
また、この蛍光体１６は、枠部４にも含有されているが、枠部４における蛍光体１６の濃度又は配合比は、封止部材５における濃度又は配合比と同一となるように形成されている。
なお、図１において、枠部４の外側の基板２の絶縁層７上には、白色のレジスト１９が塗布されている。
次に、第１の実施形態の作用について述べる。
【００２０】
発光装置１は、その雌コネクタ１０に電源装置から電力が供給されると、発光素子３に所定の電流が流れる。発光素子３は、発熱し、発光層１２から青色光を放射する。青色光は、その一部が封止樹脂５を透過して外方に出射される。また、青色光の一部は、透光性樹脂５に含有された蛍光体１６により黄色光に波長変換されて、封止樹脂５を透過して外方に出射される。
【００２１】
また、青色光および黄色光のそれぞれの一部は、基板２の一面２ａ側に設けられた金属メッキ部８に入射して反射される。そして、封止樹脂５に入射した当該反射光は、その一部が封止樹脂５を透過して外方に出射される。
【００２２】
また、青色光および黄色光のそれぞれの一部は、枠部４の内側に放射されるが、枠部４は、透光性を有しているため枠部４に放射された青色光および黄色光は、枠部４内に入射する。そして、枠部４に入射した光は枠部４内の蛍光体１６によって黄色光に波長変換されて枠部４を透過して外方に出射される。そして、封止樹脂５から又は枠部４から出射された青色光と黄色光とが混合（混色）することにより、白色光が得られる。すなわち、発光装置１から白色光が放射される。
【００２３】
このとき、本実施形態においては、枠部４の母材と封止部材５の母材とは異なるように形成している。すなわち、枠部４は高粘性であるフェニル系シリコーン樹脂で形成していることにより、封止部材５を堰き止めるための部材として機能する硬さを確保しているが、この樹脂材料を封止部材５に用いてしまうとワイヤ１５が断線を生じる虞がある。この点について補足すると、本実施形態のように非常に個数の多い発光素子３を共通の封止部材５で覆う形態の場合、発光素子３の点灯によって発光素子３自体から発生する熱及び蛍光体１６の変換作用によって発生する熱が大きくなり、封止部材５の熱が高くなりやすい傾向になる。このような状態において、封止部材５の硬さが硬いと、熱による膨張収縮に関する応力がワイヤ１５等に掛かることになってしまうため、発光素子３の点灯消灯を繰りかえることによって断線が生じやすくなってしまうものである。したがって、枠部４に用いる樹脂は、硬さがデュロメータ（タイプＡ）で測定した硬さが４５以上８９以下の範囲である比較的硬い熱硬化性樹脂とすることによって、製造性を含めて堰き止め機能が発揮できるようにしているとともに、封止部材５の樹脂は枠部４よりは硬さが低いものであって、発光素子３の点灯消灯時にある程度膨張収縮が可能となる例えばジメチル系シリコーン樹脂を用いることが好適となる。
【００２４】
さらに、枠部４と封止部材５との樹脂は異なるものであるが、共にシリコーン樹脂であることも特徴である。すなわち、各樹脂は求める機能が異なるため、同一種類ではないものの各部材間に隙間を生じることは光取出し効率の観点等から避ける必要がある。したがて、本実施形態では、製造後の硬さが異なる二種の材料を用いるとしてもその基本的な種類は共通なものを用い、加える添加剤や充てん剤や形成方法を変えることによって硬さを異にするものにしている。このように構成することによって、接着強度は増すことになるので、発光素子３の点灯消灯を繰りかえることによる各部材の膨張収縮が生じても破断等が生じることを抑制することができる。
【００２５】
そして、本実施形態においては、枠部材４に蛍光体１６が混入されているため、従来のように枠部材を反射体として用いるものに比べて光ロスが少なくなる。具体的には、白色の樹脂製枠部材としたものに比べて本実施形態の枠部材に変えるとｌ/Ｗで表わされる効率で４．７％、全光束（ｌｍ）で４．４％向上した。
【００２６】
さらに本実施形態においては、枠部材４と封止部材５とに混入されている蛍光体１６の濃度は共通にしている。このように構成することによって、各母材が異なっても配合調整が容易であるため、製造管理が容易になるとともに、蛍光体１６の配合比が共通であるため、各部材から出射する黄色光のずれが少なく、発光領域の主部である封止部材５から照射される光の色温度と枠部材４から照射される光の色温度との差異を無くすことができる。さらに、枠部材４からも黄色光が出射するため、角度色差も少なくことができ、配光も横方向に広げることが容易となる。
次に、本発明の第２の実施形態について説明する。
本実施形態の照明装置２１は、図３に示すように構成される。なお、図３において、図１と同一部分には、同一符号を付して説明は省略する。
【００２７】
照明装置２１は、天井面等に埋設されるダウンライトであり、略円筒状の装置本体２２の下端側２２ａに円形の化粧枠２３がリベット２４により取り付けられ、この化粧枠２３に透光性カバー２５が配設されている。化粧枠２３は、その外面２３ａに補強片２６が設けられている。
【００２８】
そして、装置本体２２は、左右両側に装置本体２２を天井面等に固定するための一対の取付けばね２７，２７をリベット２８により取り付けている。また、装置本体２２は、下端側２２ａの内部に図１に示す発光装置１を回転対称に４個配設している。
【００２９】
また、装置本体２２は、その中間側２２ｂの内部に電源装置２９が配設されている。電源装置２９は、交流電源を直流電源に変換し、発光装置１の発光素子３に定電流（電力）を供給するように既知の構成により形成されている。そして、装置本体２２の上面側２２ｃには、交流電源からの図示しない電源線を接続する端子台３０が配設されている。
【００３０】
本実施形態の照明装置２１は、枠部４に蛍光体１６が混入されており、枠部４から光が出射するため、光取出し効率がよく、配光が広がりやすい照明光の光束維持率の低下を抑制することができるという効果を有する。
【００３１】
なお、照明装置２１は、埋込型のダウンライトに形成したが、これに限らず、発光装置１を具備する長形の埋込型、直付け型や吊り下げ型などの照明装置やＬＥＤ電球などのランプ装置に形成されたものであってもよい。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１…発光装置、２…基板、３…発光素子、４…枠部、５…封止樹脂、２１…照明装置
【図１】
2014192270.tif 000003
【図２】
2014192270.tif 000004
【図３】
2014192270.tif 000005